(57)【特許請求の範囲】
【請求項１】
底部に、環状の脚部と、脚部に囲まれた上げ底部と、を有する合成樹脂製の容器であって、
前記上げ底部に、上方に窪む断面形状の連続放射溝が形成され、
前記連続放射溝は、前記上げ底部における中央寄り箇所から外周側に放射状かつ線状に延びるとともに放射状の外周端同士と放射状の内周端同士がそれぞれ直接に接続されて連続した形状であり、
前記連続放射溝は、前記上げ底部における中央寄り箇所から外周側に向けて放射状に延びる放射線状溝部と、隣り合う放射線状溝部の外周端同士が接続される外周端接続溝部と、隣り合う放射線状溝部の内周端同士が接続される内周端接続溝部とを有しており、
前記外周端接続溝部は、互いに隣接する放射線状溝部のみの外周端同士を接続し、
前記内周端接続溝部は、互いに隣接する放射線状溝部のみの内周端同士を接続している
ことを特徴とする容器。
【請求項２】
前記上げ底部は、中央山部と環状山部とを有しており、前記連続放射溝が、前記環状山部に形成されていることを特徴とする請求項１に記載の容器。
【請求項３】
前記連続放射溝は、外周端接続溝部および内周端接続溝部との両方の箇所で、上げ底部を下方から見てそれぞれ略Ｖ字形状に接続されていることを特徴とする請求項１に記載の容器。
【請求項４】
前記連続放射溝の放射線状溝部は、内周端から外周端に向けて前記上げ底部の半径方向に対して互いに反対の方向に傾斜する状態で放射直線状に延びる形状である請求項１または３に記載の容器。
【発明の詳細な説明】
【技術分野】
【０００１】
本発明は合成樹脂製の容器に関する。
【背景技術】
【０００２】
従来、この種の容器として、図７〜図９に示すように、容器１００の底部１０１に、円環状の脚部１０２と、この脚部１０２に囲まれた上げ底部１０３と、を有するものがある。上げ底部１０３は、脚部１０２の先端よりも上方に位置している。この種の容器は例えば特許文献１等に開示されている。
【０００３】
この容器によれば、温度が高い状態で内容物（液）を容器内に充填して密封した後、温度が低下して容器内が減圧状態になったとき、上げ底部１０３が変形しながら容器の内方に上昇する。これにより、容器内が急激に減圧状態となることを緩和して、容器が不正な形状に変形しないように図っている。
【先行技術文献】
【特許文献】
【０００４】
【特許文献１】特開２０１３−４９４４２号公報
【発明の概要】
【発明が解決しようとする課題】
【０００５】
しかしながら、上記した従来の容器では、温度が低下して容器内が減圧状態になるときに、図９に示すように、上げ底部１０３全体が均一に変形せずに、上げ底部１０３における一部の領域Ａだけが偏って不正な形に変形したり、上げ底部１０３全体が急激に反転したりすることがある。
【０００６】
本発明は上記課題を解決するもので、内圧の変化に対して、上げ底部における一部の領域だけが偏って不正な形に変形したり、上げ底部全体が急激に反転したりすることを防止できる容器を提供することを目的とするものである。
【課題を解決するための手段】
【０００７】
上記課題を解決するために、本発明は、底部に、環状の脚部と、脚部に囲まれた上げ底部と、を有する合成樹脂製の容器であって、前記上げ底部に、上方に窪む断面形状の連続放射溝が形成され、前記連続放射溝は、前記上げ底部における中央寄り箇所から外周側に放射状かつ線状に延びるとともに放射状の外周端同士と放射状の内周端同士がそれぞれ直接に接続されて連続した形状であり、前記連続放射溝は、前記上げ底部における中央寄り箇所から外周側に向けて放射状に延びる放射線状溝部と、隣り合う放射線状溝部の外周端同士が接続される外周端接続溝部と、隣り合う放射線状溝部の内周端同士が接続される内周端接続溝部とを有しており、前記外周端接続溝部は、互いに隣接する放射線状溝部のみの外周端同士を接続し、前記内周端接続溝部は、互いに隣接する放射線状溝部のみの内周端同士を接続していることを特徴とする。
【０００８】
この構成によれば、内圧が変化して、変形しようとする力が上げ底部に作用すると、連続放射溝を介して、変形しようとする力（撓もうとする力）が連続的に伝達される。これにより、上げ底部における一部の領域だけが偏って不正な形に変形したり、上げ底部全体が急激に反転したりすることが防止される。
【００１０】
なお、前記上げ底部は、中央山部と環状山部とを有しており、前記連続放射溝が、前記環状山部に形成されていると好適である。この構成によれば、内圧が変化して、変形しようとする力が上げ底部に作用すると、環状山部に形成されている連続放射溝を介して、前記変形しようとする力が連続的に伝達される。
【００１１】
また、前記連続放射溝は、外周端接続溝部および内周端接続溝部との両方の箇所で、上げ底部を下方から見てそれぞれ略Ｖ字形状に接続されていると好適である。また、前記連続放射溝の放射線状溝部は、内周端から外周端に向けて前記上げ底部の半径方向に対して互いに反対の方向に傾斜する状態で放射直線状に延びる形状であると好適である。
【発明の効果】
【００１２】
本発明によれば、環状の脚部に囲まれた上げ底部に、上方に窪む断面形状で、上げ底部における中央寄り箇所から外周側に放射状かつ線状に延びるとともに放射状の外周端同士と放射状の内周端同士がそれぞれ直接に接続されて連続した形状である連続放射溝を形成し、前記連続放射溝は、前記上げ底部における中央寄り箇所から外周側に向けて放射状に延びる放射線状溝部と、隣り合う放射線状溝部の外周端同士が接続される外周端接続溝部と、隣り合う放射線状溝部の内周端同士が接続される内周端接続溝部とを有しており、前記外周端接続溝部は、互いに隣接する放射線状溝部のみの外周端同士を接続し、前記内周端接続溝部は、互いに隣接する放射線状溝部のみの内周端同士を接続していることにより、内圧が変化して、変形しようとする力が上げ底部に作用すると、連続放射溝を介して、変形しようとする力（撓もうとする力）が連続的に伝達される。これにより、上げ底部における一部の領域だけが偏って不正な形に変形したり、上げ底部全体が急激に反転したりすることが防止される。
【００１３】
つまり、連続放射溝は、放射線状溝部において放射状かつ線状に延びるだけでなく、この部分同士が外周端接続溝部および内周端接続溝部により直接に接続されて連続した形状となっており、この連続放射溝は、上げ底部における中央寄り箇所から外周側に向けて放射状に延びる放射線状溝部と、隣り合う放射線状溝部の外周端同士が接続される外周端接続溝部と、隣り合う放射線状溝部の内周端同士が接続される内周端接続溝部とを有しており、前記外周端接続溝部は、互いに隣接する放射線状溝部のみの外周端同士を接続し、前記内周端接続溝部は、互いに隣接する放射線状溝部のみの内周端同士を接続しているので、上げ底部における中央寄り箇所から放射状かつ線状に延びる部分同士が非連続に形成されている場合と比較して、内圧の変化に対応して上げ底部が均一かつ緩やかに撓んで移動することが可能となって、変形しようとする力（撓もうとする力）が上げ底部全体に伝達され易くなる。この結果、上げ底部における一部の領域だけが偏って不正な形に変形したり、上げ底部全体が急激に反転したりすることが防止され、上げ底部全体が均一に、かつ減圧する状態に良好に対応して徐々に変形し、その後に不正な形に変形することが防止されて信頼性が向上する。
【図面の簡単な説明】
【００１４】
【図１】本発明の実施の形態に係る容器の一部切欠全体正面図である。
【図２】同容器の底部の縦断面図である。
【図３】同容器の底面図である。
【図４】同容器の底部の要部縦断面図で、減圧していない状態を示す。
【図５】同容器の底部の要部縦断面図で、減圧状態を示す。
【図６】同容器の底部の要部縦断面図で、減圧状態を示す。
【図７】従来の容器の全体正面図である。
【図８】同従来の容器における底部の縦断面図である。
【図９】同従来の容器の底面図である。
【発明を実施するための形態】
【００１５】
以下、本発明に係る実施の形態を、図面を参照して説明する。
図１、図２において、１は例えばポリエチレンテレフタレート（ＰＥＴ）等の合成樹脂製の容器である。これらの図に示すように、容器１は、円筒状の胴部２と、キャップ（図示省略）によって密封される口部４と、底部５とを有している。底部５は、円環状の脚部７と、脚部７に囲まれた円形状の上げ底部８とを備えている。
【００１６】
脚部７は、胴部２から連なる外周壁１０と、径方向内側から外周壁１０に対向する内周壁１１と、外周壁１０と内周壁１１との先端部間に設けられた接地部１２と、を有している。
【００１７】
上げ底部８は、脚部７の接地部１２（先端部）よりも上方に位置している。また、この実施の形態では、上げ底部８は、中央山部１４と環状山部１５とを有している。中央山部１４は、上げ底部８の径方向における中央部に形成されて、下方に円弧状に突出する形状とされている。環状山部１５は、中央山部１４の外周部と底部接続部９との間に全周にわたり形成されて、下方に円弧状に湾曲して突出している。中央山部１４と環状山部１５との境界部分における上げ底部８の外面には、容器１の内側に向かって窪んだ環状谷部１６が全周にわたり形成されている。
【００１８】
図３に示すように、上げ底部８には、上方に窪む断面形状の連続放射溝２０が形成されている。この連続放射溝２０は、上げ底部８における中央寄り箇所から外周側に向けて放射状に延びる放射線状溝部２１と、放射線状溝部２１の外周端同士が接続される外周端接続溝部２２と、放射線状溝部２１の内周端同士が接続される内周端接続溝部２３とを有している。すなわち、連続放射溝２０は、上げ底部８における中央寄り箇所から外周側に放射状かつ線状に延びるとともに放射状の外周端同士と放射状の内周端同士がそれぞれ接続されて連続した形状とされている。この実施の形態においては、連続放射溝２０が上げ底部８における環状山部１５に形成されている。
【００１９】
連続放射溝２０の放射線状溝部２１は、内周端から外周端に向けて上げ底部８の半径方向に対して傾斜する状態で放射直線状に延びる形状とされている。また、連続放射溝２０の外周端接続溝部２２および内周端接続溝部２３では、上げ底部８を、下方から見て、それぞれ隣り合う放射線状溝部２１を略Ｖ字形状になる状態で接続している。なお、この実施の形態では、１つの連続した連続放射溝２０が、上げ底部８の環状山部１５におけるほぼ全領域にわたって形成されている。また、連続放射溝２０の外周端接続溝部２２の外周側部分が半円形（円弧形状）となるように放射線状溝部２１の外周端部同士を滑らかに接続しており、連続放射溝２０の内周端接続溝部２３の内周側部分が半円形（円弧形状）となるように放射線状溝部２１の内周端部同士を滑らかに接続しているが、これに限るものではない。
【００２０】
上記構成によれば、上げ底部８に、上方に窪む断面形状で、上げ底部８における中央寄り箇所から外周側に放射状かつ線状に延びるとともに放射状の外周端部同士と放射状の内周端部同士がそれぞれ接続されて連続した形状である連続放射溝２０を形成している。これにより、温度が高い状態で内容物（液）を容器１内に充填して密封した後に、冷却により、温度が低下して容器１内が減圧状態となり、内圧が変化すると、変形しようとする力が上げ底部８に作用するが、この場合に、連続放射溝２０を介して、変形しようとする力（撓もうとする力）が連続的に上げ底部８全体に伝達され易くなる。これにより、上げ底部８における一部の領域だけが偏って不正な形に変形したり、上げ底部８全体が急激に反転したりすることが防止される。なお、図４において当該容器１の底部５の減圧していない状態を示し、図５、図６においてはそれぞれ減圧量が増加している状態を示す。
【００２１】
詳しく述べると、連続放射溝２０は、放射線状溝部２１において放射状かつ線状に延びるだけでなく、この部分同士が外周端接続溝部２２および内周端接続溝部２３により接続されて連続した形状となっているので、上げ底部８における中央寄り箇所から放射状かつ線状に延びる部分同士が非連続に形成されている場合と比較して、内圧の変化に対応して上げ底部８が均一かつ緩やかに撓んで移動することが可能となって、変形しようとする力（撓もうとする力）が上げ底部８全体に伝達され易くなる。しかも、連続放射溝２０は放射状かつ線状に延びる部分の外周端部同士（外周端接続溝部２２）と内周端部同士（内周端接続溝部２３）とのそれぞれの箇所、すなわち、半径方向に対する２箇所の異なる箇所で接続されて連続しているので、例えば、放射状かつ線状に延びる部分の途中の箇所の１箇所だけで接続されている場合よりも、変形力が連続放射溝２０全体により良好に伝達される。
【００２２】
この結果、内圧が変化して、変形しようとする力が上げ底部８に作用すると、連続放射溝２０を介して、変形しようとする力（撓もうとする力）が連続的に伝達され、上げ底部８における一部の領域だけが偏って不正な形に変形したり、上げ底部８全体が急激に反転したりすることが防止され、上げ底部８全体が均一に、かつ減圧する状態に良好に対応して徐々に変形する。したがって、上げ底部８がその後に不正な形に変形することが防止されて信頼性が向上する。
【００２３】
また、この実施の形態では、連続放射溝２０が上げ底部８における環状山部１５が設けられている範囲に形成されている。これにより、内圧変化の際に変形の起点となり易い環状山部１５の外周部と内周部とに、それぞれ放射線状溝部２１の折り返し部としての外周端接続溝部２２と内周端接続溝部２３とが位置することとなる。この結果、内圧の変化に対応して上げ底部８がより良好に均一かつ緩やかに撓んで移動することが可能となって、変形しようとする力が連続放射溝２０全体により良好に伝達され易くなる。したがって、内圧が変化した際に、上げ底部８における一部の領域だけが偏って不正な形に変形したり、上げ底部８全体が急激に反転したりすることをより的確に防止することができる。
【００２４】
なお、上記の実施の形態では、上げ底部８が中央山部１４と環状山部１５とを有しており、中央山部１４の中央側が平坦な形状の場合を図示したが、これに限るものではなく、中央が下方に湾曲する単一の湾曲形状（中央部分に平坦面を有しない形状）で形成されている場合でもよい。
【００２５】
また、上記の実施の形態では、容器１の胴部２がほぼ直筒形状の円筒状である場合を述べたが、これに限るものではなく、胴部２として、その高さ方向の中間部などに細く括れた形状のものであるなどしてもよい。
【符号の説明】
【００２６】
１      容器
５      底部
７      脚部
８      上げ底部
１４    中央山部
１５    環状山部
２０    連続放射溝
２１    放射線状溝部
２２    外周端接続溝部
２３    内周端接続溝部
【図１】
0006714999.tif 000002
【図２】
0006714999.tif 000003
【図３】
0006714999.tif 000004
【図４】
0006714999.tif 000005
【図５】
0006714999.tif 000006
【図６】
0006714999.tif 000007
【図７】
0006714999.tif 000008
【図８】
0006714999.tif 000009
【図９】
0006714999.tif 000010